(57)【要約】【課題】移動通信端末によりテレビ等をユーザが視聴中の番組と一致する番組情報を提供することができる情報提供システム及び情報提供方法を提供する。【解決手段】情報提供システム１は、移動通信端末２と、情報提供サーバ３とを含んで構成されている。移動通信端末２は、受信した放送波から、その放送波に係る番組を識別する番組識別情報を取得する番組識別情報取得部２０２を備えている。情報提供サーバ３は、番組識別情報取得部２０２において取得された番組識別情報に基づいて、その番組識別情報に対応する番組対応情報を番組対応情報格納部３０２から取得する番組対応情報取得部３０３を備えている。【選択図】  図１
2009212961.tif 000002
【特許請求の範囲】
【請求項１】
放送波を受信可能な情報通信端末と、当該情報通信端末と通信網を介して接続可能な情報提供装置を含んで構成される情報提供システムであって、
前記情報通信端末は、
前記放送波を受信する放送波受信手段と、
前記放送波受信手段により受信された前記放送波から、当該放送波に係る番組を特定する番組識別情報を取得する番組識別情報取得手段と、
前記番組識別情報取得手段により取得された前記番組識別情報を、前記情報提供装置に送信する番組識別情報送信手段と、
前記番組識別情報送信手段から前記番組識別情報を送信したことに応じて、前記情報提供装置から前記番組識別情報に対応する番組対応情報を受信する番組対応情報受信手段と、
前記番組対応情報受信手段により受信された前記番組対応情報を出力する番組対応情報出力手段と、を備え、
前記情報提供装置は、
前記情報通信端末から送信される前記番組識別情報を受信する番組識別情報受信手段と、
前記番組識別情報手段により受信された前記番組識別情報に基づいて、当該番組識別情報に対応し、前記番組に関する番組対応情報を取得する番組対応情報取得手段と、
前記番組対応情報取得手段によって取得された前記番組対応情報を前記情報通信端末に送信する番組対応情報送信手段と、を備えることを特徴とする情報提供システム。
【請求項２】
前記番組識別情報は、前記放送波を送信する放送局を特定する情報を含むことを特徴とする請求項１記載の情報提供システム。
【請求項３】
前記番組識別情報は、前記放送波に係る番組の放送開始時刻、放送終了時刻、及び番組名の少なくとも１つを更に含むことを特徴とする請求項１又は２記載の情報提供システム。
【請求項４】
前記情報通信端末において、
前記番組識別情報取得手段は、前記放送波に前記情報通信端末のユーザに通知すべき緊急の情報があることを示す緊急情報信号が含まれているか否かを判断し、前記緊急情報信号が含まれている場合には、当該緊急情報信号を取得し、
前記番組識別情報送信手段は、前記番組識別情報取得手段により取得された前記緊急情報信号を、前記情報提供装置に送信し、
前記番組対応情報受信手段は、前記番組識別情報送信手段から前記緊急情報信号を送信したことに応じて、前記情報提供装置から前記緊急情報信号に対応する緊急情報を受信し、
前記番組対応情報出力手段は、前記番組対応情報受信手段により受信された前記緊急情報を出力し、
前記情報提供装置において、
前記番組識別情報受信手段は、前記情報通信端末から送信される前記緊急情報信号を受信し、
前記番組対応情報取得手段は、前記番組識別情報手段により受信された前記緊急情報信号に基づいて、当該緊急情報信号に対応する前記緊急情報を取得し、
前記番組対応情報送信手段は、前記番組対応情報取得手段によって取得された前記緊急情報を前記情報通信端末に送信することを特徴とする請求項１〜３のいずれか一項記載の情報提供システム。
【請求項５】
前記情報提供装置は、前記番組識別情報に対応付けて前記番組に関する番組対応情報を格納する番組対応情報格納手段を更に備え、
前記番組対応情報取得手段は、前記番組対応情報格納手段から前記番組対応情報を取得することを特徴とする請求項１〜４のいずれか一項記載の情報提供システム。
【請求項６】
前記番組対応情報取得手段は、前記番組識別情報に基づいて外部装置或いはインターネットから前記番組対応情報を取得することを特徴とする請求項１〜５のいずれか一項記載の情報提供システム。
【請求項７】
前記番組識別情報送信手段は、前記情報通信端末のユーザによって入力された文字情報を送信し、
前記番組対応情報受信手段は、前記番組識別情報送信手段から前記文字情報を送信したことに応じて、前記情報提供装置から前記文字情報にも対応する番組対応情報を受信することを特徴とする請求項６記載の情報提供システム。
【請求項８】
前記番組対応情報は、前記情報通信端末のユーザによってメッセージが書き込み可能なサイト情報であることを特徴とする請求項１〜７のいずれか一項記載の情報提供システム。
【請求項９】
前記番組識別情報受信手段は、前記情報通信端末を特定する固有情報が付加された前記番組識別情報を前記情報通信端末から受信し、
前記番組対応情報取得手段は、前記番組識別情報手段により受信された前記番組識別情報に付加された前記固有情報にも基づいて、前記番組識別情報に対応し、前記番組に関する番組対応情報を取得することを特徴とする請求項１〜８のいずれか一項記載の情報提供システム。
【請求項１０】
放送波を受信可能な情報通信端末であって、
前記放送波を受信する放送波受信手段と、
前記放送波受信手段により受信された前記放送波から、当該放送波に係る番組を識別する番組識別情報を取得する番組識別情報取得手段と、
前記番組識別情報取得手段により取得された前記番組識別情報を、通信網を介して接続可能な情報提供装置に送信する番組識別情報送信手段と、
前記番組識別情報送信手段から前記番組識別情報を送信したことに応じて、前記情報提供装置から前記番組識別情報に対応する番組対応情報を受信する番組対応情報受信手段と、
前記番組対応情報受信手段により受信された前記番組対応情報を出力する番組対応情報出力手段と、
を備えることを特徴とする情報通信端末。
【請求項１１】
情報通信端末と通信網を介して接続可能な情報提供装置であって、
前記情報通信端末から送信される、放送波に係る番組を識別する番組識別情報を受信する番組識別情報受信手段と、
前記番組識別情報受信手段により受信された前記番組識別情報に基づいて、当該番組識別情報に対応し、前記番組に関する前記番組対応情報を取得する番組対応情報取得手段と、
前記番組対応情報取得手段によって取得された前記番組対応情報を前記情報通信端末に送信する番組対応情報送信手段と、
を備えることを特徴とする情報提供装置。
【請求項１２】
放送波を受信可能な情報通信端末と、当該情報通信端末と通信網を介して接続可能な情報提供装置を含んで構成される情報提供システムによる情報提供方法であって、
前記情報通信端末が、
前記放送波を受信する放送波受信ステップと、
前記放送波受信ステップにおいて受信された前記放送波から、当該放送波に係る番組を特定する番組識別情報を取得する番組識別情報取得ステップと、
前記番組識別情報取得ステップにおいて取得された前記番組識別情報を、前記情報提供装置に送信する番組識別情報送信ステップと、
前記番組識別情報送信ステップにおいて前記番組識別情報を送信したことに応じて、前記情報提供装置から前記番組識別情報に対応する番組対応情報を受信する番組対応情報受信ステップと、
前記番組対応情報受信ステップにおいて受信された前記番組対応情報を出力する番組対応情報出力ステップと、を含み、
前記情報提供装置が、
前記情報通信端末から送信される前記番組識別情報を受信する番組識別情報受信ステップと、
前記番組識別情報ステップにおいて受信された前記番組識別情報に基づいて、当該番組識別情報に対応し、前記番組に関する番組対応情報を取得する番組対応情報取得ステップと、
前記番組対応情報取得ステップにおいて取得された前記番組対応情報を前記情報通信端末に送信する番組対応情報送信ステップと、を備えることを特徴とする情報提供方法。
【発明の詳細な説明】
【技術分野】
【０００１】
本発明は、情報提供システム、情報通信端末、情報提供装置、及び情報提供方法に関する。
【背景技術】
【０００２】
近年、１セグメント放送など地上デジタル放送波を受信するテレビ受像機が搭載された移動通信端末が広く普及している。このような移動通信端末は、映像や音声情報を含む放送波と共にマルチメディアデータを含んだデータ放送を受信することで、ユーザはマルチメディア情報等を閲覧することが可能となっている。
【０００３】
また、地上デジタル放送の普及と共に、ＥＰＧ（Electric Program Guide：電子番組ガイド）も普及し、ＥＰＧを利用して番組の内容の詳細を知ることができるようになっている。例えば特許文献１には、ＥＰＧから番組表情報を取得して番組表データベースを構築し、ユーザによるチャンネル切り替えが行われたときに、自動的に選択中のチャンネルに関する番組対応情報を番組表データベースから取得する番組情報取得方法が提案されている。
【特許文献１】特開２００４−３１２２２３号公報
【発明の開示】
【発明が解決しようとする課題】
【０００４】
ところで、特許文献１に記載されているように、選択中のチャンネルから情報を取得する方法では、選択中のチャンネルを識別する情報が例えば物理チャンネル（周波数情報）である場合、特定地域であれば物理チャンネルを使用しているのは一つの放送局のみなので、番組を特定することができる。しかしながら、移動通信端末のように視聴地域間を移動する場合には、同じ物理チャンネルであっても、視聴地域によって番組の内容が異なるといった問題が生じ得る。そのため、視聴している番組とは異なる番組の番組対応情報を取得してしまうおそれがある。
【０００５】
本発明は、以上の問題点を解決するためになされたものであり、移動通信端末によりテレビ等をユーザが視聴中の番組と一致する番組対応情報を提供することができる情報提供システム及び情報提供方法を提供することを目的とする。
【課題を解決するための手段】
【０００６】
上記の目的を達成するために、本発明に係る情報提供システムは、放送波を受信可能な情報通信端末と、情報通信端末と通信網を介して接続可能な情報提供装置を含んで構成される情報提供システムであって、情報通信端末は、放送波を受信する放送波受信手段と、放送波受信手段により受信された放送波から、放送波に係る番組を特定する番組識別情報を取得する番組識別情報取得手段と、番組識別情報取得手段により取得された番組識別情報を、情報提供装置に送信する番組識別情報送信手段と、番組識別情報送信手段から番組識別情報を送信したことに応じて、情報提供装置から番組識別情報に対応する番組対応情報を受信する番組対応情報受信手段と、番組対応情報受信手段により受信された番組対応情報を出力する番組対応情報出力手段と、を備え、情報提供装置は、情報通信端末から送信される番組識別情報を受信する番組識別情報受信手段と、番組識別情報受信手段により受信された番組識別情報に基づいて、番組識別情報に対応し、番組に関する番組対応情報を取得する番組対応情報取得手段と、番組対応情報取得手段によって取得された番組対応情報を情報通信端末に送信する番組対応情報送信手段と、を備えることを特徴とする。
【０００７】
また、上記の目的を達成するために、本発明に係る情報通信端末は、放送波を受信可能な情報通信端末であって、放送波を受信する放送波受信手段と、放送波受信手段により受信された放送波から、放送波に係る番組を識別する番組識別情報を取得する番組識別情報取得手段と、番組識別情報取得手段により取得された番組識別情報を、通信網を介して接続可能な情報提供装置に送信する番組識別情報送信手段と、番組識別情報送信手段から番組識別情報を送信したことに応じて、情報提供装置から番組識別情報に対応する番組対応情報を受信する番組対応情報受信手段と、番組対応情報受信手段により受信された番組対応情報を出力する番組対応情報出力手段と、を備えることを特徴とする。
【０００８】
また、上記の目的を達成するために、本発明に係る情報提供装置は、情報通信端末と通信網を介して接続可能な情報提供装置であって、情報通信端末から送信される、放送波に係る番組を識別する番組識別情報を受信する番組識別情報受信手段と、番組識別情報手段により受信された番組識別情報に基づいて、番組識別情報に対応し、番組に関する番組対応情報を取得する番組対応情報取得手段と、番組対応情報取得手段によって取得された番組対応情報を情報通信端末に送信する番組対応情報送信手段と、を備えることを特徴とする。
【０００９】
この構成により、視聴中の番組の番組識別情報が放送波から情報通信端末装置によって取得され、番組識別情報が情報通信端末から情報提供装置に受信されると、この番組識別情報に対応（一致）する番組対応情報が取得されて、情報通信端末に送信される。これにより、放送波から視聴中の番組の番組識別情報が取得されるので、物理チャンネルを番組を特定する情報に用いる場合と違って、視聴地域によって番組情報が異なるといった問題は生じ得ず、視聴中の番組に一致した番組対応情報をユーザに対して提供することができる。
【００１０】
また、番組識別情報は、放送波を送信する放送局を特定する情報を含むことが好適である。この構成により、番組識別情報に対応する番組対応情報を確実に提供することができる。
【００１１】
また、番組識別情報は、放送波に係る番組の放送開始時刻、放送終了時刻、番組名、及び番組情報の少なくとも１つを更に含むことが好適である。この構成により、放送局を特定する情報に加えて更に放送開始時刻等の情報を用いて番組対応情報を取得することになるので、番組識別情報に対応する番組対応情報をより確実にユーザに対して提供することができる。
【００１２】
また、情報通信端末において、番組識別情報取得手段は、放送波に情報通信端末のユーザに通知すべき緊急の情報があることを示す緊急情報信号が含まれているか否かを判断し、緊急情報信号が含まれている場合には、緊急情報信号を取得し、番組識別情報送信手段は、番組識別情報取得手段により取得された緊急情報信号を、情報提供装置に送信し、番組対応情報受信手段は、番組識別情報送信手段から緊急情報信号を送信したことに応じて、情報提供装置から緊急情報信号に対応する緊急情報を受信し、番組対応情報出力手段は、番組対応情報受信手段により受信された緊急情報を出力し、情報提供装置において、番組識別情報受信手段は、情報通信端末から送信される緊急情報信号を受信し、番組対応情報取得手段は、番組識別情報手段により受信された緊急情報信号に基づいて、緊急情報信号に対応する緊急情報を取得し、番組対応情報送信手段は、番組対応情報取得手段によって取得された緊急情報を情報通信端末に送信することが好ましい。この構成により、ユーザが放送波を受信している地域において、放送波に緊急情報信号が含まれている場合には、情報通信端末が緊急情報信号を取得し、情報提供装置に送信する。これにより、地域に対応する例えば災害情報等の緊急情報が情報提供装置から情報通信端末に送信される。従って、ユーザの在圏する地域に対応した緊急情報をユーザに対して提供することができる。
【００１３】
また、情報提供装置は、番組識別情報に対応付けて番組に関する番組対応情報を格納する番組対応情報格納手段を更に備え、番組対応情報取得手段は、番組対応情報格納手段から番組対応情報を取得することが好適である。この構成により、番組に対応する番組対応情報を好適に取得することができる。
【００１４】
また、番組対応情報取得手段は、番組識別情報に基づいて外部装置或いはインターネットから番組対応情報を取得することが好適である。この構成により、ユーザに対して視聴中の番組に関連する情報を提供することができる。
【００１５】
また、番組識別情報送信手段は、情報通信端末のユーザによって入力された文字情報を送信し、番組対応情報受信手段は、番組識別情報送信手段から文字情報を送信したことに応じて、情報提供装置から文字情報にも対応する番組対応情報を受信することが好ましい。この構成により、ユーザが要求する情報により対応する番組対応情報を提供することができる。
【００１６】
また、番組対応情報は、情報通信端末のユーザによってメッセージが書き込み可能なサイト情報であることが好適である。この構成により、同じ番組を視聴しているユーザ同士がメッセージの交換を行うことができると共に、合わせて情報の交換を行うことができる。
【００１７】
また、番組識別情報受信手段は、情報通信端末を特定する固有情報が付加された番組識別情報を情報通信端末から受信し、番組対応情報取得手段は、番組識別情報手段により受信された番組識別情報に付加された固有情報にも基づいて、番組識別情報に対応し、番組に関する番組対応情報を取得することが好適である。この構成により、番組識別情報及び固有情報に含まれる例えばユーザの属性情報等に基づいて、それぞれのユーザに応じた番組対応情報を提供することができる。
【００１８】
ところで、本発明は、上記のように情報提供システムの発明として記述できる他に、以下のように情報提供方法の発明としても記述することができる。これはカテゴリが異なるだけで、実質的に同一の発明であり、同様の作用及び効果を奏する。
【００１９】
即ち、本発明に係る情報提供方法は、放送波を受信可能な情報通信端末と、情報通信端末と通信網を介して接続可能な情報提供装置を含んで構成される情報提供システムによる情報提供方法であって、情報通信端末が、放送波を受信する放送波受信ステップと、放送波受信ステップにおいて受信された放送波から、放送波に係る番組を特定する番組識別情報を取得する番組識別情報取得ステップと、番組識別情報取得ステップにおいて取得された番組識別情報を、情報提供装置に送信する番組識別情報送信ステップと、番組識別情報送信ステップにおいて番組識別情報を送信したことに応じて、情報提供装置から番組識別情報に対応する番組対応情報を受信する番組対応情報受信ステップと、番組対応情報受信ステップにおいて受信された番組対応情報を出力する番組対応情報出力ステップと、を備え、情報提供装置が、情報通信端末から送信される番組識別情報を受信する番組識別情報受信ステップと、番組識別情報ステップにおいて受信された番組識別情報に基づいて、番組識別情報に対応し、番組に関する番組対応情報を取得する番組対応情報取得ステップと、番組対応情報取得ステップにおいて取得された番組対応情報を情報通信端末に送信する番組対応情報送信ステップと、を備えることを特徴とする。
【発明の効果】
【００２０】
本発明によれば、放送波から視聴中の番組の番組識別情報が取得され、番組識別情報に基づいて提供される番組対応情報が判断されるので、視聴地域によって番組情報が異なるといった問題は生じ得ず、移動通信端末によりテレビ等をユーザが視聴中の番組と一致する番組情報を確実に提供することができる。
【発明を実施するための最良の形態】
【００２１】
以下、図面と共に本発明に係る情報提供システム、情報通信端末、情報提供装置、及び情報提供方法の好適な実施形態について詳細に説明する。なお、図面の説明においては同一要素には同一符号を付し、重複する説明を省略する。
【００２２】
［第１実施形態］
図１に本発明の第１実施形態に係る情報提供システムの構成を示す。図１に示すように、情報提供システム１は、移動通信端末（情報通信端末）２と、情報提供サーバ（情報提供装置）３とを含んで構成されている。移動通信端末２と情報提供サーバ３とは、移動体通信により互いに情報を送受信することができる。図１には、移動通信端末２は１つしか示されていないが、情報提供システム１には、通常、無数の移動通信端末２が含まれている。また、情報提供サーバ３は、１台のサーバ装置により構成されてもよいし、複数のサーバ装置により構成さてもよい。
【００２３】
情報提供システム１は、ユーザが視聴中の番組に対応する番組対応情報を提供することができるシステムである。提供される番組対応情報は、テロップに表示される文字情報、ＵＲＬ等であり、具体的には、例えば料理番組ではレシピ情報、スポーツ番組では選手に関する情報等である。
【００２４】
移動通信端末２は、例えば携帯電話機であり、自機が在圏する無線エリアをカバーする基地局と無線通信を行い、ユーザの操作に応じて、通話サービス或いはパケット通信サービスを受ける通信端末である。また、移動通信端末２は、放送波送信局から送信される放送波を受信して画面上にテレビ番組を表示させるテレビ機能を有する。
【００２５】
情報提供サーバ３は、移動通信端末２のユーザからの要求に応じて、サービスを提供するサーバである。情報提供サーバ３は、移動体通信網にあり、サービスを提供するサービス事業者によって管理されている。具体的なサービスとしては、移動通信端末２から視聴中のテレビ番組に対応する情報の要求に応じて、そのテレビ番組に対応する番組対応情報を提供する。
【００２６】
図２は、移動通信端末２のハードウェア構成を示す図である。図２に示すように、移動通信端末２は、ＣＰＵ（Central Processing Unit）２１、ＲＡＭ（Random Access Memory）２２、ＲＯＭ（Read OnlyMemory）２３、操作部２４、無線通信部２５、ディスプレイ２６、スピーカー２７及びアンテナ２８等のハードウェアにより構成されている。これらの構成要素が動作することにより、以下に説明する移動通信端末２の各機能が発揮される。
【００２７】
図３は、情報提供サーバ３のハードウェア構成を示す図である。図３に示すように、情報提供サーバ３は、ＣＰＵ３１、主記憶装置であるＲＡＭ３２及びＲＯＭ３３、ネットワークカード等のデータ送受信デバイスである通信モジュール３４、ハードディスク等の補助記憶装置３５、キーボード等の情報提供サーバ３に対して情報を入力するための入力装置３６、並びにモニタ等の情報を出力するための出力装置３７等のハードウェアを備えるコンピュータとして構成される。これらの構成要素が動作することにより、情報提供サーバ３の後述する機能が発揮される。
【００２８】
引き続いて、移動通信端末２及び情報提供サーバ３の機能について説明する。
【００２９】
図１を参照して、移動通信端末２について説明する。図１に示すように、移動通信端末２は、放送波受信部２０１と、番組識別情報取得部２０２と、番組識別情報送信部２０３と、番組対応情報受信部２０４と、対応番組情報出力部２０５とを備えている。
【００３０】
放送波受信部２０１は、放送波送信局（図示せず）から送出された放送波を、移動通信端末２が備えるテレビアンテナ（図示せず）を介して受信する放送波受信手段である。放送波受信部２０１は、受信した放送波をデコードする。放送波受信部２０１は、デコードされた信号、すなわち映像、音声、データ放送等をディスプレイ２６及びスピーカー２７に出力すると共に、番組識別情報取得部２０２に出力する。
【００３１】
番組識別情報取得部２０２は、放送波受信部２０１から受け取ったデコードされた信号から、放送波に係る番組を識別する番組識別情報を取得する番組識別情報取得手段である。番組識別情報は、所定の規格に基づいて、放送波を送信する放送事業者によってワンセグ等に入れられている情報である。番組識別情報は、番組を送出する放送局の固有の情報としてnetwork_id、service_id、放送局を特定する放送局情報等の放送局別情報と、放送番組の固有の情報として視聴中の番組の放送開始／終了時間、番組名、及び番組の詳細情報等の放送番組別情報とを含んでいる。network_idは、地上デジタル放送波に含まれる放送局識別用情報である。また、service_idは、放送事業者が提供する各サービスに対し割り当てられるサービス識別であり、地上波デジタル放送においてはユニークな（重複の無い）識別番号である。番組の詳細情報は、text_charであり、番組の概要（あらすじ）等の文章を含む文字データである。番組識別情報取得部２０２は、ユーザにより任意のタイミングにおいて、番組対応情報の取得を指示する入力キー（操作部２４）が押下された場合に、押下を検出して、ディスプレイ２６に表示されている番組、つまりユーザが視聴中の番組に係る番組識別情報を取得する。番組識別情報取得部２０２は、番組識別情報を番組識別情報送信部２０３に出力する。
【００３２】
番組識別情報送信部２０３は、番組識別情報取得部２０２により取得された番組識別情報を、情報提供サーバ３に送信する番組識別情報送信手段である。また、番組識別情報送信部２０３は、ユーザによってキーワード（文字情報）が入力された場合には、そのキーワードを情報提供サーバ３に送信する。
【００３３】
番組対応情報受信部２０４は、番組識別情報送信部２０３により情報提供サーバ３へ送信された番組識別情報に対応する番組対応情報を、情報提供サーバ３から受信する番組対応情報受信手段である。番組対応情報受信部２０４は、受信した番組対応情報を番組対応情報出力部２０５へ出力する。
【００３４】
番組対応情報出力部２０５は、番組対応情報受信部２０４により受信された番組対応情報を出力する番組対応情報出力手段である。番組対応情報出力部２０５は、番組対応情報を移動通信端末２のディスプレイ２６に出力する。図４は、ディスプレイ２６に番組対応情報が出力された一例を示す図である。図４に示すように、番組対応情報は、視聴中の番組及びデータ放送（天候情報等）と共にディスプレイ２６の下側のテロップＴに表示される。図４に示す例では、視聴中の料理番組の料理に関するレシピ情報が表示されている。
【００３５】
続いて、情報提供サーバ３について説明する。図１に示すように、情報提供サーバ３は、番組識別情報受信部３０１と、番組対応情報格納部３０２と、番組対応情報取得部３０３と、番組対応情報送信部３０４とを備えている。
【００３６】
番組識別情報受信部３０１は、移動通信端末２から番組識別情報を受信する番組識別情報受信手段である。番組識別情報受信部３０１は、移動通信端末２から受信した番組識別情報を番組対応情報取得部３０３に出力する。
【００３７】
番組対応情報格納部３０２は、番組に対応する番組対応情報を格納する番組対応情報格納手段である。番組対応情報格納部３０２は、図５〜図７に示すようなテーブルを保持している。図５は、放送局別情報が保持されているテーブルの一例を示す図である。図５に示すように、放送局別情報のテーブルでは、「放送局別情報（「network_id」及び「放送局名」）」と「番組別情報対応テーブルＮｏ」とを対応付けて保持している。図６及び図７は、放送番組別情報が保持されているテーブルの一例を示す図である。図６及び図７に示すように、放送番組別情報のテーブルでは、「放送番組別情報（「番組の放送開始／終了時間」及び「番組名」）」とその放送番組情報に対応する「番組対応情報」とを対応付けて保持している。番組対応情報格納部３０２に格納されている情報は、例えばインターネットを介して最新の情報に更新されてもよいし、サービス事業者によって入力されてもよい。
【００３８】
番組対応情報取得部３０３は、番組識別情報に基づいて、その番組識別情報に対応する番組対応情報を番組対応情報格納部３０２から取得する番組対応情報取得手段である。番組対応情報取得部３０３は、番組対応情報格納部３０２から、番組識別情報の放送局別情報と一致（対応）する情報があるか否かを判断し、一致した場合には、放送局別情報に対応する放送番組別情報テーブルＮｏを取得する。次に、番組対応情報取得部３０３は、現在時刻を取得し、放送番組別情報テーブルＮｏの放送番組別情報テーブルにおいて、現在時刻と対応する放送番組別情報を特定する。そして、番組対応情報取得部３０３は、現在時刻によって特定された放送番組別情報と番組識別情報受信部３０１によって受信された放送番組別情報とが一致しているか否か判断し、一致した場合には番組対応情報を取得する。なお、現在時刻によって特定された放送番組別情報のみに基づいて、番組対応情報が取得されてもよい（放送番組別情報との一致が判断されない）。
【００３９】
具体的には、図５〜図７を参照して、番組対応情報の取得について詳細に説明する。番組対応情報取得部３０３は、受信した番組識別情報の放送局別情報と放送局別情報テーブルの放送局別情報とが一致するかを判断し、一致した場合には放送局別情報と対応付けられている放送番組別情報テーブルＮｏを取得する。例えば、放送局別情報のnetwork_idが「0x23FC」、放送局名が「放送局Ａ」である場合には、放送番組別情報テーブル１（図６）を取得する。また、network_idが「0x211C」、放送局名が「放送局Ｂ」である場合には、放送番組別情報テーブル２（図７）を取得する。
【００４０】
番組対応情報取得部３０３は、現在時刻を取得し、放送局別情報に基づいて取得された放送番組別テーブルから放送番組別情報を特定する。そして、番組対応情報取得部３０３は、特定された放送番組別情報と番組識別情報受信部３０１によって受信された放送番組別情報が一致するか否かを判断する。番組対応情報取得部３０３は、例えば取得された時刻が「１９：３０」であり、受信された放送番組別情報が「１９：００〜２０：００、ドラマＡ」である場合には、放送番組別情報テーブル１（図６）のＮｏ１と一致していると判断し、番組対応情報として「http://www.AAAAA.co.jp/dramaA」を取得する。また、放送番組別情報テーブル２において、取得された現在時刻が「１９：２０」であり、受信した放送番組別情報が「１９：００〜１９：５４、ドラマＸ」である場合には、放送番組別情報テーブル２（図７）のＮｏ１と一致していると判断し、番組対応情報として「http://www.AAAAA.co.jp/dramaX」を取得する。番組対応情報取得部３０３は、取得した番組対応情報を番組対応情報送信部３０４に出力する。
【００４１】
また、番組対応情報取得部３０３は、番組対応情報格納部３０２において番組対応情報を取得できなかったときに、外部サーバ（外部装置）やインターネット（いずれも図示せず）から番組対応情報を取得する。番組対応情報取得部３０３は、番組識別情報に基づいて番組対応情報を取得する。具体的には、例えば番組対応情報取得部３０３は、番組識別情報の番組名等を検索語として、インターネットで番組対応情報を取得する。また、番組対応情報取得部３０３は、ユーザからキーワードが送信された場合には、キーワードに基づいてインターネットで番組対応情報を取得する。キーワードは、番組識別情報が番組識別情報送信部２０３によって送信された後、情報提供サーバ３からキーワードの入力要求がなされた際に入力される。なお、キーワードは入力されなくてもよい。番組対応情報取得部３０３は、取得した番組対応情報を番組対応情報送信部３０４に出力する。
【００４２】
番組対応情報送信部３０４は、取得された番組対応情報を移動通信端末２に送信する手段である。番組対応情報送信部３０４は、番組対応情報取得部３０３から受け取った番組対応情報を移動通信端末２に送信する。
【００４３】
引き続いて、図８〜図１０を参照して、本実施形態に係る情報提供システム１で実行される処理（情報提供方法）について説明する。図８は、移動通信端末２と情報提供サーバ３との処理を示すシーケンス図である。図９は、移動通信端末２において番組識別情報の取得処理を示すフローチャートである。図１０は、情報提供サーバ３において番組対応情報の取得処理を示すフローチャートである。
【００４４】
図８に示すように、まず移動通信端末２では、番組を識別する番組識別情報が取得される（Ｓ０１、番組識別情報取得ステップ）。番組を識別する番組識別情報の取得処理は、以下のように行われる。
【００４５】
図９に示すように、まず放送波受信部２０１によって、放送波が受信される（Ｓ１０１、放送波受信ステップ）。受信された放送波は、映像、音声、及びデータ放送にデコードされる（Ｓ１０２、放送波受信ステップ）。続いて、ユーザによって番組対応情報を取得を指示する操作があるか否かが番組識別情報取得部２０２によって判断される（Ｓ１０３、番組識別情報取得ステップ）。番組対応情報を取得する指示があると判断された場合には、ステップＳ１０４に進む。一方、番組情報を取得する指示があると判断されなかった場合には、ステップＳ１０３に戻り処理を繰り返す。ここで、図１１を参照して、番組対応情報を取得を指示する操作について説明する。図１１は、番組対応情報を取得する際に押下されるボタンを示す図である。図１１に示すように、操作部２４のボタン２４ａが押下されることによって、番組識別情報が取得される。
【００４６】
Ｓ１０４では、番組対応情報取得部２０２によって、放送波受信部２０１においてデコードされた信号に基づいて、ユーザが視聴中の番組に係る番組識別情報（放送局別情報、放送番組別情報）が取得される（番組識別情報取得ステップ）。
【００４７】
図８に戻って、以上のように取得された番組識別情報は、移動通信端末２の番組識別情報送信部２０３から情報提供サーバ３へと送信される（Ｓ２、番組識別情報送信ステップ）。情報提供サーバ３では、番組識別情報が番組識別情報受信部３０１によって受信されて、番組対応情報取得部３０３によって番組対応情報が取得される（Ｓ３、番組対応情報取得ステップ）。番組対応情報の取得処理は、以下のように行われる。
【００４８】
図１０に示すように、まず番組識別情報受信部３０１によって、移動通信端末２から番組識別情報が受信される（Ｓ２０１、番組識別情報受信ステップ）。次に、番組対応情報取得部３０３によって、受信された番組識別情報（network_id、放送局名）に基づいて、番組対応情報格納部３０２の放送局別情報テーブルの放送局別情報と一致しているか否かが判断される（Ｓ２０２、番組対応情報取得ステップ）。放送局別情報が一致していると判断された場合には、ステップＳ２０３に進む。一方、放送局別情報が一致している判断されなかった場合には、ステップＳ２０６に進む。
【００４９】
続いてステップＳ２０３では、番組対応情報取得部３０３によって、現在時刻及び放送局別情報に対応付けられた放送番組別情報テーブルＮｏが取得され、現在時刻に対応する放送番組別情報が特定される（番組対応情報取得ステップ）。そして、番組識別情報受信部３０１によって受信された番組識別情報（番組の放送開始／終了時間、番組名）に基づいて、ステップＳ２０３で特定された放送番組別情報と一致しているか否かが番組対応情報取得部３０３によって判断される（Ｓ２０４、番組対応情報取得ステップ）。放送番組別情報が一致していると判断された場合には、ステップＳ２０５に進む。一方、放送番組別情報が一致している判断されなかった場合には、ステップＳ２０６に進む。なお、ステップＳ２０４において、例えば番組の延長等により放送時間の編成が変更されている場合には、放送番組別情報を「番組名」に限定して一致しているか否かを判断する。
【００５０】
放送番組別情報が一致していると判断された場合には、放送番組別情報と対応付けて保持されている番組対応情報を取得する（Ｓ２０５、番組対応情報取得ステップ）。また、ステップＳ２０２及びステップＳ２０４において放送局別情報及び放送番組別情報と一致しないと判断された場合には、番組識別情報に基づいて、外部サーバ、又はインターネットから番組対応情報を取得する（Ｓ２０６、番組対応情報取得ステップ）。
【００５１】
図８に戻って、以上のように取得された番組対応情報は、情報提供サーバ３から移動通信端末２に番組対応情報送信部３０４によって送信される（Ｓ４、番組対応情報送信ステップ）。移動通信端末２では、番組対応情報受信部２０４によって番組対応情報が受信されて、番組対応情報が出力される（Ｓ５、番組対応情報出力ステップ）。以上が、本実施形態に係る情報提供システム１により実行される処理である。
【００５２】
上述したように本実施形態によれば、視聴中の番組の番組識別情報が放送波から移動通信端末２によって取得され、番組識別情報が移動通信端末２から情報提供サーバ３に受信されると、この番組識別情報に一致する番組対応情報が番組対応情報格納部３０２又は外部サーバやインターネットから取得されて、移動通信端末２に送信される。これにより、放送波から視聴中の番組の番組識別情報が取得されるので、物理チャンネルを番組を特定する情報に用いる場合と違って、視聴地域によって番組情報が異なるといった問題は生じ得ず、視聴中の番組に一致した番組対応情報をユーザに対して提供することができる。
【００５３】
また、番組識別情報は、放送波を送信する放送局を特定する放送局別情報と、放送波に係る番組の放送開始時刻、放送終了時刻、番組名、及び番組情報の方向番組別情報とを含んでいるので、番組識別情報に対応する番組対応情報を確実にユーザに対して提供することができる。
【００５４】
また、番組対応情報取得部３０３は、番組対応情報格納部３０２から番組対応情報が取得できない場合に、番組名等の番組識別情報に基づいて外部サーバ或いはインターネットから番組対応情報を取得する。これにより、ユーザに対して視聴中の番組に関連する情報を提供することができる。また、ユーザからキーワードが送信されている場合には、そのキーワードにも基づいて、インターネットによって番組対応情報が取得されるので、ユーザが要求する情報により対応する番組対応情報を提供することができる。
【００５５】
［第２実施形態］
続いて、本発明の第２実施形態に係る情報提供システムについて説明する。第２実施形態に係る情報提供システムは、図１に示す第１の実施形態と同様に、移動通信端末２と、情報提供サーバ３とを含んで構成されている。第２実施形態に係る情報提供システム１は、番組識別情報取得部２０２が緊急情報信号を更に取得する点で、第１実施形態と異なっている。緊急情報信号は、移動通信端末２のユーザに通知すべき緊急の情報があることを示す信号であり、例えば地震等災害が発生したときに、放送事業者によって放送波に含めて送信される。
【００５６】
番組識別情報取得部２０２は、放送波に含まれるＰＭＴ（Program Map Table）信号をデコードすることで、移動通信端末２のユーザに通知すべき緊急の情報を示す緊急情報信号が含まれているか否かを判断し、緊急情報信号が含まれていると判断した場合には緊急情報信号を取得する手段である。番組識別情報取得部２０２は、取得した緊急情報信号を番組識別情報送信部２０３に出力する。
【００５７】
番組識別情報送信部２０３は、番組識別情報取得部２０２により取得された番組識別情報又は緊急情報信号を、情報提供サーバ３に送信する番組識別情報送信手段である。番組識別情報送信部２０３は、番組識別情報取得部２０２から緊急情報信号を受け取ると、緊急情報信号にユーザが在圏するエリアを特定するエリアコード緊急情報信号に付加して情報提供サーバ３に送信する。なお、エリアコードは、放送波に含まれ、放送波をデコードした信号から取得される。
【００５８】
番組対応情報取得部３０３は、番組識別情報に基づいて、その番組識別情報に対応する番組対応情報を番組対応情報格納部３０２から取得する番組対応情報取得手段である。また、番組対応情報取得部３０３は、番組識別情報受信部３０１が移動通信端末２から緊急情報信号を受信すると、その緊急情報信号に対応する緊急情報を取得する。番組対応情報取得部３０３は、番組識別情報受信部３０１からエリアコード付加された緊急情報信号を受け取ると、エリアコードに緊急情報が対応付けられたテーブルを参照し、エリアコードに対応する緊急情報を取得する。より具体的には、図１３を参照して説明する。図１３（ａ）は、エリアコードに緊急情報が対応付けられて保持されているテーブルの一例を示す図である。図１３（ｂ）は、緊急情報の一例を示す図である。図１３（ａ）に示すように、番組対応情報取得部３０３は、例えば受信されたエリアコードが「Ｎｏ２」である場合には、そのエリアコードに対応する「緊急情報Ｎｏ２」を取得する。そして、番組対応情報取得部３０３は、緊急情報Ｎｏ２として保持されている例えば図１３（ｂ）に示すような地震情報を取得する。地震情報には、「発生時刻」、「震源地」、「深さ」、「規模」、「震度」、及び「津波」等の情報が含まれている。
【００５９】
続いて、図１２を参照して、緊急情報信号の取得処理について説明する。図１２は、本実施形態に係る移動通信端末２において緊急情報信号の取得処理を示すフローチャートである。
【００６０】
図１２に示すように、まず放送波受信部２０１によって、放送波が受信される（Ｓ３０１、放送波受信ステップ）。受信された放送波は、映像、音声、及びデータ放送にデコードされる（Ｓ３０２、放送波受信ステップ）。続いて、番組識別情報取得部２０２によって放送波に緊急情報信号が含まれているか否かが判断される（Ｓ３０３、番組識別情報取得ステップ）。緊急情報信号が含まれていると判断された場合には、緊急情報がユーザに対して提供されることが好ましいので、ユーザの意思の確認をせずに緊急情報信号を取得し（Ｓ３０４、番組識別情報取得ステップ）、番組識別情報取得処理を終了する。一方、緊急情報信号が含まれていると判断されなかった場合には、ユーザによって番組対応情報を取得を指示する操作があるか否かが判断される（Ｓ３０５、番組識別情報取得ステップ）。番組対応情報を取得する指示があると判断された場合には、ステップＳ３０６に進む。一方、番組情報を取得する指示があると判断されなかった場合には、ステップＳ３０５に戻り処理を繰り返す。
【００６１】
ステップＳ３０６では、番組識別情報取得部２０２によって、放送波受信部２０１で受信された放送波に基づいて、ユーザが視聴中の番組に係る番組識別情報が取得される（番組対応情報取得ステップ）。
【００６２】
以上のようにして取得された番組識別情報又は緊急情報信号は、図８に示すように情報提供サーバ３に送信される。そして、情報提供サーバ３の番組対応情報取得部３０３によって緊急情報が取得され、移動通信端末２に送信される。移動通信端末２では、番組対応情報受信部２０４によって緊急情報が受信され、番組対応情報出力部２０５によって出力される。
【００６３】
上述したように本実施形態によれば、ユーザが放送波を受信している地域において、放送波に緊急情報信号が含まれている場合には、移動通信端末２が緊急情報信号を取得し、情報提供サーバ３に送信する。これにより、地域に対応する例えば災害情報等の緊急情報が情報提供サーバ３から移動通信端末２に送信される。従って、ユーザの在圏する地域に対応した緊急情報をユーザに対して提供することができる。
【００６４】
［第３実施形態］
次に、本発明の第３実施形態に係る情報提供システムについて説明する。図１４は、第３実施形態に係る情報提供システムの構成を示す図である。図１４に示すように、情報提供システム１Ａは、移動通信端末２と、情報提供サーバ３とを含んで構成されている。移動通信端末２及び情報提供サーバ３の構成は、第１及び第２実施形態において詳述した構成と類似するので、共通する構成要素には同一の符号を付しその説明を省略すると共に、第１実施形態との差異について詳述する。なお、以下実施形態においては、番組対応情報をユーザが書き込み可能なコミュニティサイトとする。
【００６５】
番組識別情報送信部２０３Ａは、番組識別情報取得部２０２から受け取った番組識別情報を情報提供サーバ３へ送信する手段である。番組識別情報送信部２０３Ａは、番組識別情報に移動通信端末２のユーザを識別するために予め設定された固有情報を付加して情報提供サーバ３に送信する。固有情報とは、例えばユーザＩＤ、移動通信端末２の電話番号、及び移動通信端末２の製造番号等である。
【００６６】
固有情報判定部３０５は、移動通信端末２から送信された番組識別情報に付加された固有情報に基づいて、ユーザが所定の条件を満たしているか否かを判定する固有情報判定手段である。固有情報判定部３０５は、ユーザ情報格納部３０６に格納されている固有情報に関連付けられたユーザ情報を参照することで、例えば事前に登録が必要なコミュニティサイトに登録しているか否かを判定する。具体的に、図１５を参照して固有情報の判定について説明する。図１５は、ユーザ情報格納部３０６に格納されているユーザ情報の一例を示す図である。図１５に示す例では、固有情報であるユーザＩＤ、電話番号、及び製造番号と、ユーザの年齢、性別、コミュニティサイト登録の有無とが対応付けて格納されている。固有情報判定部３０５は、受信した固有情報に対応するユーザ情報を取得し、ユーザがコミュニティサイトに事前に登録されていると判定された場合には、番組識別情報と登録情報とを番組対応情報取得部３０３に出力する。また、ユーザがコミュニティサイトに登録されていると判定されなかった場合には、番組識別情報を番組対応情報取得部３０３に出力する。
【００６７】
番組対応情報取得部３０３は、固有情報判定部３０５から登録情報を受け取った場合には、番組識別情報及び登録情報に基づいて、番組対応情報を取得する。番組対応情報取得部３０３は、登録情報を固有情報判定部３０５から受け取った場合に、事前に登録が必要なコミュニティサイト（番組対応情報）と事前に登録が不要なコミュニティサイトとが取得されたときには、事前に登録が必要なコミュニティサイトを取得する。
【００６８】
図１６は、移動通信端末２のディスプレイ２６にコミュニティサイトが表示される一例を示す図である。図１６に示す例では、視聴中の番組の下側に、送信されたメッセージを表示するメッセージ表示画面Ｓと、ユーザがメッセージを記入する記入画面Ｗとが表示されている。ユーザは、入力画面Ｗに操作部２４によってメッセージを入力することで、事前に登録が必要なコミュニティサイトにおいて、他のユーザと情報交換等を行うことができる。
【００６９】
上述したように本実施形態によれば、番組識別情報及び固有情報に基づいて、それぞれのユーザに応じた番組対応情報を提供することができる。具体的には、制限されたユーザ同士でコミュニティサイトにおいてメッセージの交換等をすることが可能となる。
【００７０】
本発明は上記実施形態に限られるものではない。上記実施形態では、情報通信端末を移動通信端末２としているが、通信機能を備えたテレビ、再生機・録画機（ＨＤレコーダー、ＤＶＤレコーダー）等であってもよい。
【００７１】
また、上記実施形態では、情報提供サーバ３が番組対応情報格納部３０２を備えているが、番組対応情報格納部３０２を備えずに、番組対応情報を外部サーバ、インターネットから取得する構成としてもよい。
【００７２】
また、上記実施形態では、ユーザが番組対応情報を取得する際に、ボタン２４ａを押下する構成としているが、番組識別情報取得部２０２が番組識別情報を任意のタイミングで取得し、情報提供サーバ３に送信する構成としてもよい。この場合には、情報提供サーバ３から送信された番組対応情報の一部、又は見出しがテロップＴに表示され、番組対応情報の一部、又は見出しのテロップ部分Ｔを指定して例えばボタン２４ａを押下することで、番組対応情報が全文表示される。
【００７３】
また、上記実施形態では、番組対応情報格納部３０２から番組対応情報を取得できなかった場合には、外部サーバ、インターネットから取得する構成としているが、外部サーバ、インターネットでの番組対応情報の取得を行わず、番組対応情報を取得できなかった旨の情報及び番組対応情報を取得するためのキーワード（番組名等）を移動通信端末２に送信する構成としてもよい。
【図面の簡単な説明】
【００７４】
【図１】本発明の第１実施形態に係る情報提供システムの構成を示す図である。
【図２】移動通信端末のハードウェア構成を示す図である。
【図３】情報提供サーバのハードウェア構成を示す図である。
【図４】ディスプレイに番組対応情報が出力された一例を示す図である
【図５】放送局別情報が保持されているテーブルの一例を示す図である。
【図６】放送番組別情報が保持されているテーブルの一例を示す図である。
【図７】放送番組別情報が保持されているテーブルの一例を示す図である。
【図８】移動通信端末と情報提供サーバとの処理を示すシーケンス図である。
【図９】移動通信端末において番組識別情報の取得処理を示すフローチャートである
【図１０】情報提供サーバにおいて番組対応情報の取得処理を示すフローチャートである。
【図１１】番組対応情報を取得する際に押下されるボタンを示す図である。
【図１２】移動通信端末において緊急情報信号の取得処理を示すフローチャートである。
【図１３】（ａ）エリアコードに緊急情報が対応付けられて保持されているテーブルの一例を示す図である。（ｂ）緊急情報の一例を示す図である。
【図１４】第３実施形態に係る情報提供システムの構成を示す図である。
【図１５】ユーザ情報格納部に格納されているユーザ情報の一例を示す図である。
【図１６】移動通信端末のディスプレイにコミュニティサイトが表示される一例を示す図である。
【符号の説明】
【００７５】
１…情報提供システム、２…移動通信端末（情報通信端末）、３…情報提供サーバ（情報提供装置）、２０１…放送波受信部（放送波受信手段）、２０２…番組識別情報取得部（番組識別情報取得手段）、２０３…番組識別情報送信部（番組識別情報送信手段）、２０４…番組対応情報受信部（番組対応情報受信手段）、２０５…番組対応情報出力部（番組対応情報出力手段）、３０１…番組識別情報受信部（番組識別情報受信手段）、３０２…番組対応情報格納部（番組対応情報格納手段）、３０３…番組対応情報取得部（番組対応情報取得手段）、３０４…番組対応情報送信部（番組対応情報送信手段）、３０５…固有情報判定部（固有情報判定手段）。
【図１】
2009212961.tif 000003
【図２】
2009212961.tif 000004
【図３】
2009212961.tif 000005
【図４】
2009212961.tif 000006
【図５】
2009212961.tif 000007
【図６】
2009212961.tif 000008
【図７】
2009212961.tif 000009
【図８】
2009212961.tif 000010
【図９】
2009212961.tif 000011
【図１０】
2009212961.tif 000012
【図１１】
2009212961.tif 000013
【図１２】
2009212961.tif 000014
【図１３】
2009212961.tif 000015
【図１４】
2009212961.tif 000016
【図１５】
2009212961.tif 000017
【図１６】
2009212961.tif 000018